(57)【要約】【課題】、装置内共存干渉を効果的に抑制し、端末装置における各無線技術の通信品質を高め、ユーザの通信体験を向上させることが可能な、端末装置の通信を実現する方法及びシステムを提供すること。【解決手段】本発明においては、端末装置がＬＴＥ技術を用いるサブデバイスを除く他のサブデバイスの状態情報をネットワーク側に報告し、ネットワークが、取得した状態情報に応じて、無線リソース管理を行う。【選択図】図３
2013536634.tif 000002
【特許請求の範囲】
【請求項１】
端末装置の通信を実現する方法であって、
端末装置が、ロング・ターム・エボリューション（ＬＴＥ：Long Term Evolution）技術を用いるサブデバイスを除く他のサブデバイスの状態情報をネットワークに報告するステップと、
ネットワークが、取得した状態情報に応じて、無線リソース管理を行うステップと
を含むことを特徴とする方法。
【請求項２】
前記ネットワークが、端末装置がＬＴＥ技術を用いるサブデバイスを除く他のサブデバイスの状態情報を報告することを有効にするステップ
を更に含むことを特徴とする請求項１に記載の方法。
【請求項３】
前記ネットワークが、端末装置がＬＴＥ技術を用いるサブデバイスを除く他のサブデバイスの状態情報を報告することを有効にするステップは、
前記ネットワークが無線リソース制御（ＲＲＣ：Radio Resource Control）接続再構成メッセージにおいて、端末装置に前記端末装置内部におけるＬＴＥ技術を用いるサブデバイスを除く他のサブデバイスの状態情報を報告させるためのイネーブル情報を送信するステップ、又は、
前記ネットワークが、ＲＲＣ接続確立メッセージにおいて前記イネーブル情報を送信するステップ、又は、
前記ネットワークが、新規のＲＲＣメッセージにおいて前記イネーブル情報を送信するステップ
を含むことを特徴とする請求項２に記載の方法。
【請求項４】
前記端末装置が、ＬＴＥ技術を用いるサブデバイスを除く他のサブデバイスの状態情報を取得するステップを更に含み、前記ステップは、
前記ＬＴＥ技術を用いるサブデバイスが、無線技術間のインターフェイス又は前記端末装置内の制御装置を介して、前記状態情報を取得するステップを含む
ことを特徴とする請求項１に記載の方法。
【請求項５】
前記状態情報は、前記端末装置内の、ＬＴＥ技術を用いるサブデバイスを除く他のサブデバイスのオン／オフ情報を含む
ことを特徴とする請求項１又は４に記載の方法。
【請求項６】
前記状態情報は、干渉するＬＴＥ周波数バンドの情報を更に含む
ことを特徴とする請求項５に記載の方法。
【請求項７】
前記状態情報は、追加的測定結果情報を更に含む
ことを特徴とする請求項５に記載の方法。
【請求項８】
前記追加的測定結果情報は、
全ての設定された測定タスクについて、各測定タスクの報告条件を満たし、かつ、各測定タスクに対応するセルトリガーリストに記憶されている全ての隣接セルの測定結果であり、又は、
全ての設定された測定タスクにおいて、各測定タスク報告条件を満たし、かつ、各測定タスクに対応するセルトリガーリストに記憶されている、最も強度が高いＮ個の隣接セルの測定結果であり、ここで、Ｎはネットワークと端末装置によって予め設定された値である
ことを特徴とする請求項７に記載の方法。
【請求項９】
前記取得した状態情報をネットワークに報告するステップは、
前記状態情報を、拡張された近接インディケーションメッセージに含めてネットワークに報告するステップ、又は、
前記状態情報を、拡張されたＲＲＣ接続確立完了メッセージに含めてネットワークに報告するステップ、又は、
前記状態情報を、拡張されたＲＲＣ接続再構成完了メッセージに含めてネットワークに報告するステップ、又は、
前記状態情報を、新規のＲＲＣメッセージに含めてネットワークに報告するステップ
を含むことを特徴とする請求項１に記載の方法。
【請求項１０】
前記ネットワークが取得した状態情報に応じて無線リソース管理を行うステップは、
取得した状態情報に応じて、モビリティ接続管理制御又はマルチキャリアリソース管理を行うことを含む
ことを特徴とする請求項１に記載の方法。
【請求項１１】
前記ネットワークが、取得した状態情報に応じてモビリティ接続管理制御を行う場合に、
前記受信した状態情報によって示された他のサブデバイスのオン／オフ状態に応じた動作を行い、
その動作は、前記端末装置がＢａｎｄ４０／Ｂａｎｄ７で動作しないときに、前記ネットワークがハンドオーバを判定した場合、前記ネットワークが当該端末装置をＢａｎｄ４０／Ｂａｎｄ７にハンドオーバしないことを含み
又は、干渉検出を早める測定構成を前記端末装置に構成することを含む
ことを特徴とする請求項１０に記載の方法。
【請求項１２】
前記状態情報は、前記端末装置内のＬＴＥ技術を用いるサブデバイスを除く他のサブデバイスのオン／オフ情報、及び干渉するＬＴＥバンドの情報を含み、
前記ネットワークが取得した状態情報に応じてモビリティ接続管理制御を行う場合に、
前記受信した他のサブデバイスのオン／オフ情報及び干渉するＬＴＥバンドの情報に応じた動作を行い、
その動作は、前記受信した干渉するＬＴＥバンドの情報がＢａｎｄ４０−ＵＰであって、前記端末装置がＢａｎｄ４０の低バンドで動作する場合、前記ネットワークが、現在の端末装置が装置内の共存干渉を受けないと判定して、動作を実行しないこと、又は、
前記端末装置がマルチキャリアで動作する状態において、且つ前記端末装置のプライマリサービングセルがＢａｎｄ４０の低バンドで動作し、一つ以上のセカンダリサービングセルがＢａｎｄ４０の高バンドで動作する場合、前記ネットワークが前記一つ以上のセカンダリサービングセルを非アクティブにし、又は削除すること、又は、
前記端末装置がシングルキャリアで動作する状態において、且つ前記端末装置がＢａｎｄ４０の高バンドで動作する場合に、前記ネットワークが端末装置をＢａｎｄ４０の低８０Ｍバンドにハンドオーバすること、及び
前記受信した干渉するＬＴＥバンドの情報がＢａｎｄ４０−ａｌｌである場合、Ｂａｎｄ４０の全体のバンドが干渉することを示し、前記受信した状態情報によって示された他のサブデバイスのオン／オフ情報に応じた動作を行い、
その動作は、前記端末装置がＢａｎｄ４０／Ｂａｎｄ７で動作しないときに、前記ネットワークががハンドオーバを判定した場合、前記ネットワークが当該端末装置をＢａｎｄ４０／Ｂａｎｄ７にハンドオーバしないこと、及び干渉検出を早める測定構成を前記端末装置に構成することを含む
ことを特徴とする請求項１０に記載の方法。
【請求項１３】
前記受信した状態情報には、前記端末装置におけるＬＴＥ技術を用いるサブデバイスを除く他のサブデバイスのオン／オフ情報及び追加的測定結果情報が含まれ、前記ネットワークが取得した状態情報に応じてモビリティ接続管理制御を行う場合に、
前記端末装置がＢａｎｄ４０／Ｂａｎｄ７で動作すると、前記ネットワークが前記端末装置によって報告された追加的測定結果情報に応じてハンドオーバ判定を行い、前記端末装置を前記追加的測定結果情報に示された隣接セルにハンドオーバすることを含む
ことを特徴とする請求項１０に記載の方法。
【請求項１４】
前記ネットワークが受信した状態情報が干渉するＬＴＥバンドの情報を含み、且つ干渉するＬＴＥバンドの情報がＢａｎｄ４０−ＵＰであり、前記ネットワークが取得した状態情報に応じてマルチキャリアリソース管理を行う場合に、
前記端末装置がマルチキャリアで動作する状態において、且つ前記端末装置のプライマリサービングセルがＢａｎｄ４０の低バンドで動作し、一つ以上のセカンダリサービングセルがＢａｎｄ４０の高バンドで動作する場合、前記ネットワークが前記一つ以上のセカンダリサービングセルを非アクティブにし、又は削除することを含む
ことを特徴とする請求項１０に記載の方法。
【請求項１５】
端末装置のハンドオーバを実現する方法であって、
前記端末装置のハンドオーバ前のソースネットワークが、前記端末装置のハンドオーバ後のターゲットネットワークにハンドオーバ要求メッセージを送信し、前記ハンドオーバ要求メッセージのＲＲＣコンテキストには、前記ソースネットワークが端末装置にＬＴＥ技術を用いるサブデバイスを除く他のサブデバイスの状態情報を報告させることを有効にするイネーブル情報が含まれ、
前記ターゲットネットワークが、ハンドオーバ要求確認メッセージをソースネットワークにフィードバックし、
前記端末装置とターゲットネットワークとの間の通信は、端末装置がＬＴＥ技術を用いるサブデバイスを除く他のサブデバイスの状態情報をネットワークに報告することを含み、
前記ネットワークが、取得した状態情報に応じて、無線リソース管理を行う
ことを特徴とする方法。
【請求項１６】
前記ハンドオーバ要求メッセージには、更に、前記端末装置におけるＬＴＥ技術を用いるサブデバイスを除く他のサブデバイスのオン／オフ情報が含まれる
ことを特徴とする請求項１５に記載の方法。
【請求項１７】
前記ハンドオーバ要求メッセージには、更に、干渉するＬＴＥバンドの情報が含まれる
ことを特徴とする請求項１６に記載の方法。
【請求項１８】
端末装置の通信を実現するシステムであって、
端末装置とネットワークを含み、且つ、前記端末装置には、ＬＴＥ技術を用いるサブデバイス、及びＬＴＥ技術を除く他の技術を用いる他のサブデバイスが搭載され、
端末装置は、ＬＴＥ技術を用いるサブデバイスを除く他のサブデバイスの状態情報を取得し、取得した状態情報をネットワークに報告し、
ネットワークは、取得した状態情報に応じて、無線リソース管理を行い、ネットワークは、基地局である
ことを特徴とするシステム。
【請求項１９】
前記ネットワークは、端末装置がＬＴＥ技術を用いるサブデバイスを除く他のサブデバイスの状態情報を報告することを有効にする
ことを特徴とする請求項１８に記載のシステム。
【請求項２０】
前記端末装置がハンドオーバを行う場合に、前記ネットワークは、ソースネットワークであり、当該システムは、ターゲットネットワークを更に含み、
前記ネットワークは、前記端末装置のハンドオーバ後のターゲットネットワークにハンドオーバ要求メッセージを送信し、前記ハンドオーバ要求メッセージのＲＲＣコンテキストには、前記ソースネットワークが端末装置にＬＴＥ技術を用いるサブデバイスを除く他のサブデバイスの状態情報を報告させることを有効にするイネーブル情報が含まれ、
ターゲットネットワークは、ハンドオーバ要求確認メッセージをソースネットワークにフィードバックする
ことを特徴とする請求項１８又は１９に記載のシステム。
【請求項２１】
前記ソースネットワークは、前記ハンドオーバ要求メッセージに、前記端末装置におけるＬＴＥ技術を用いるサブデバイスを除く他のサブデバイスのオン／オフ情報を含める
ことを特徴とする請求項２０に記載のシステム。
【請求項２２】
前記ソースネットワークは、干渉するＬＴＥバンドの情報を前記ハンドオーバ要求メッセージに含める
ことを特徴とする請求項２１に記載のシステム。
【発明の詳細な説明】
【技術分野】
【０００１】
本発明は、端末装置内における様々な無線技術の共存技術に関し、特に、様々な無線技術が同一の端末装置に共存し、当該端末装置の通信を実現する方法及びシステムに関する。
【背景技術】
【０００２】
無線技術の発展につれて、より多くの無線技術が広く応用され、特に、端末クライアントの様々な通信要求を満たすために、同一のインテリジェント端末内に、様々な無線技術が同時に用いられるようになる。
【０００３】
図１は、２種類以上の無線技術を同時に用いる端末装置を示す図である。図１に示すように、端末装置１００では、ロング・ターム・エボリューション（ＬＴＥ：Ｌｏｎｇ  Ｔｅｒｍ  Ｅｖｏｌｕｔｉｏｎ）技術を用いるサブデバイス１０１（又はサブモジュールと称する）、ＩＥＥＥ  Ｓｔｄ  ８０２．１１仕様に定めれた無線ローカルエリアネットワーク（ＷＬＡＮ：ｗｉｒｅｌｅｓｓ  ｌｏｃａｌ  ａｒｅａ  ｎｅｔｗｏｒｋｓ）技術を用いるサブデバイス１０２、即ち無線ローカルエリアネットワークステーション（ＷＬＡＮ  ＳＴＡ）、ＩＥＥＥ  Ｓｔｄ  ８０２．１５仕様に定めれたブルートゥース（Ｂｌｕｅｔｏｏｔｈ）無線技術を用いるサブデバイス１０３という３種類の無線技術を用いる。
【０００４】
端末装置１００における３つのサブデバイスはそれぞれ、各無線技術に対応する対向装置と無線通信を行う。ここで、サブデバイス１０１は発展型基地局（ＬＴＥｅＮＢ、Ｅ‐ＵＴＲＡＮ  ＮｏｄｅＢ）１０４とエアインタフェースを介して無線通信を行い、サブデバイス１０２は別のＷＬＡＮ  ＳＴＡ装置１０５と無線インタフェースを介して無線通信を行い、サブデバイス１０３は別のＢｌｕｅｔｏｏｔｈ装置１０６と無線インタフェースを介して無線通信を行う。
【０００５】
図１において、サブデバイス１０１と、サブデバイス１０２及びサブデバイス１０３との間は、無線技術間のインタフェース（ｉｎｔｅｒ‐ｒａｄｉｏ  ｉｎｔｅｒｆａｃｅ）を介して接続されている。例えば、サブデバイス１０１とサブデバイス１０２はＬｌ０１を介して接続され、サブデバイス１０１とサブデバイス１０３はＬ１０２を介して接続され、又は３つのサブデバイスが共通の制御装置１０７によって制御されている。
【０００６】
端末装置の体積が小さすぎるため、同一の端末装置に２種類以上の無線技術を同時に設定すると、必然的に当該２種類以上の無線技術が存在するサブデバイス間の空間間隔が例えば数センチメートル程度に小さくなる。即ち当該２種類以上の無線技術に用いられるアンテナポート間の空間間隔を十分に大きくなるように設計することができない。
【０００７】
このように、同一の端末装置において各無線技術により、隣接する周波数バンドを用いる場合、帯域外放射（Ｏｕｔ  ｏｆ  ｂａｎｄ  ｅｍｉｓｓｉｏｎ）、スプリアス放射（Ｓｐｕｒｉｏｕｓ  ｅｍｉｓｓｉｏｎｓ）などの原因により、１つの無線技術サブデバイスが送信を行うと、別の無線技術サブデバイスの受信に干渉する。逆の場合も同様である。
【０００８】
しかも、このような干渉は従来のフィルターでフィルタリングすることができず、それによって各無線技術装置の通信品質に深刻な影響を与える。本明細書では、上記の干渉を装置内共存干渉と称する。
【０００９】
図１に示す端末装置１００を例にして、ＷＬＡＮとＢｌｕｅｔｏｏｔｈにＩＳＭ（Ｉｎｄｕｓｔｒｉａｌ  Ｓｃｉｅｔｉｆｉｃ  ａｎｄ  Ｍｅｄｉｃａｌ）周波数バンド（２．４ＧＨｚ〜２．５ＧＨｚ）が用いられると仮定する。ここで、ＷＬＡＮがＩＳＭ周波数バンド中の２．４ＧＨｚ〜２．４８３５ＧＨｚバンドを用い、ＢｌｕｅｔｏｏｔｈがＩＳＭ周波数バンド中の２．４ＧＨｚ〜２．４９７ＧＨｚバンドを用いるとする。
【００１０】
ＩＳＭ周波数バンドは、図２に示すように、ちょうどＬＴＥの周波数バンド４０（Ｂａｎｄ４０：２．３ＧＨｚ〜２．４ＧＨｚ）とバンド７の上りバンド（Ｂａｎｄ７  ＵＰ：２．５ＧＨｚ〜２．５７ＧＨｚ）に隣接する。
【００１１】
サブデバイス１０１に時分割多重（ＴＤＤ：Ｔｉｍｅ  Ｄｉｖｉｓｉｏｎ  Ｄｕｐｌｅｘ）モードを用い、且つＢａｎｄ４０を用いる場合、又はサブデバイス１０１に周波数分割多重（ＦＤＤ：Ｆｒｅｑｕｅｎｃｙ  Ｄｉｖｉｓｉｏｎ  Ｄｕｐｌｅｘ）モードを用い、且つ上りにＢａｎｄ７を用いると、サブデバイス１０１とサブデバイス１０２、サブデバイス１０３は互いに干渉する。具体的な干渉状況は下記[表１]に示すようなものである。
【００１２】
【表１】
2013536634.tif 000003
【００１３】
[表１]に示すように、ＬＴＥとＩＳＭに関する無線技術間の装置内共存干渉において、ＬＴＥ  Ｂａｎｄ４０とＩＳＭが互いに干渉し、ＬＴＥ  Ｂａｎｄ７はＩＳＭだけに干渉し、ＩＳＭに干渉しない。
【００１４】
従来のＬＴＥシステムでは、ＬＴＥユーザ端末は、基準信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）測定により装置の外部からの干渉を検出する。この種の検出メカニズムは、ネットワークがによって干渉源を把握している状況に適用可能である。ネットワークは、通常、ネットワーク計画、ネットワーク最適化又は自己組織化ネットワーク（ＳＯＮ：Ｓｅｌｆ‐Ｏｒｇａｎｉｓｉｎｇ  Ｎｅｔｗｏｒｋｓ）機能によってサポートされ、合理的な測定評価及び測定報告パラメータを構成することができる。
【００１５】
ネットワークは、端末装置（ＵＥ：Ｕｓｅｒ  ｅｑｕｉｐｍｅｎｔ）によって報告されたサービングセルの信号品質の測定結果及び関連する隣接セルの信号品質の測定結果により、ＵＥがサービングセルにおいて干渉するかどうかを判定し、干渉すると判定した場合、基地局は、セル間干渉協調技術を利用して、又はＵＥを隣接セルにハンドオーバすることによりＵＥの通信品質を保証することができる。
【００１６】
従来のＬＴＥシステムにおけるＵＥによる測定過程では、装置の外部からの干渉について、一般的に徐々に強くなる過程があるため、ＵＥから基地局に報告される測定結果は、一定の期間（例えば３２０ｍｓさらにより長い時間）内の各測定結果をスムーズ（フィルタ）処理した結果であって、信号の短期的ジッタによるＵＥのピンポンハンドオーバを防止することができる。
【００１７】
このような装置の外部からの干渉と違い、装置内共存干渉は突発性と強い干渉特性を持つ。ＩＳＭに関する無線技術がいつオンになるかは完全にユーザの動作に依存するため、その干渉は突発性を持つ。また、ＩＳＭに関連する無線技術とＬＴＥが同一の端末装置に位置し、そのアンテナポート間の空間間隔が小さいため、強干渉特性を持つ。
【００１８】
従って、様々な無線技術が共存する端末装置では、ＬＴＥユーザ端末が従来の干渉検出メカニズムを用いると検出が遅すぎ、それによってＬＴＥのデータ伝送に影響を与えて通話が切断される。また、ＬＴＥの従来の干渉検出メカニズムはＬＴＥが干渉される状況だけを検出でき、ＬＴＥがその他の装置に干渉する状況を検出することができない。そのため、ＬＴＥのＩＳＭに関する無線技術に対する干渉を解決することができず、装置におけるＩＳＭに関する無線技術のデータ伝送に影響を与え、データ伝送が中断される。
【００１９】
明らかに、様々な無線技術装置内の装置内共存干渉により、端末装置における各無線技術の通信品質は大幅低下し、ユーザの通信体験に影響を与える。
【発明の概要】
【発明が解決しようとする課題】
【００２０】
これに鑑みて、本発明の主要な目的は、装置内共存干渉を効果的に抑制し、端末装置における各無線技術の通信品質を高め、ユーザの通信体験を向上させることが可能な、端末装置の通信を実現する方法及びシステムを提供することにある。
【課題を解決するための手段】
【００２１】
前記目的を実現するために、本発明の技術案は、以下のように実現される。
【００２２】
端末装置の通信を実現する方法は、
端末装置が、ＬＴＥ技術を用いるサブデバイスを除く他のサブデバイスの状態情報をネットワークに報告するステップと、
ネットワークが、取得した状態情報に応じて、無線リソース管理を行うステップとを含む。
【００２３】
前記ネットワークが、端末装置がＬＴＥ技術を用いるサブデバイスを除く他のサブデバイスの状態情報を報告することを有効にするステップを更に含む。
【００２４】
前記ネットワークが、端末装置がＬＴＥ技術を用いるサブデバイスを除く他のサブデバイスの状態情報を報告することを有効にするステップは、
前記ネットワーク側が無線リソース制御ＲＲＣ接続再構成メッセージにおいて、端末装置に前記端末装置内部におけるＬＴＥ技術を用いるサブデバイスを除く他のサブデバイスの状態情報を報告させるためのイネーブル情報を送信するステップ、又は、
前記ネットワーク側がＲＲＣ接続確立メッセージにおいて前記イネーブル情報を送信するステップ、又は、
前記ネットワークが新規のＲＲＣメッセージにおいて前記イネーブル情報を送信するステップを含む。
【００２５】
前記端末装置が、ＬＴＥ技術を用いるサブデバイスを除く他のサブデバイスの状態を取得するステップを更に含み、前記ステップは、
前記ＬＴＥ技術を用いるサブデバイスが、無線技術間のインターフェイス又は前記端末装置内の制御装置を介して、前記状態情報を取得するステップを含む。
【００２６】
前記状態情報は、前記端末装置内のＬＴＥ技術を用いるサブデバイスを除く他のサブデバイスのオン／オフ情報を含む。
【００２７】
前記状態情報は、干渉するＬＴＥバンドの情報を更に含む。
【００２８】
前記状態情報は、追加的測定結果情報を更に含む。
【００２９】
前記追加的測定結果情報は、全ての設定された測定タスクにおいて、各測定タスクの報告条件を満たし、かつ、各測定タスクに対応するセルトリガーリストに記憶されている全ての隣接セルの測定結果であり、又は、
全ての設定された測定タスクにおいて、各測定タスク報告条件を満たし、各測定タスクに対応するセルトリガーリストに記憶されている最も強度が高いＮ個の隣接セルの測定結果であり、ここで、Ｎはネットワークと端末装置によって予め設定された値である。
【００３０】
前記取得した状態情報をネットワークに報告するステップは、
前記状態情報を、拡張された近接インディケーションメッセージに含めてネットワークに報告するステップ、又は、
前記状態情報を、拡張されたＲＲＣ接続確立完了メッセージに含めてネットワークに報告するステップ、又は、
前記状態情報を、拡張されたＲＲＣ接続再構成完了メッセージに含めてネットワークに報告するステップ、又は、
前記状態情報を、新規のＲＲＣメッセージに含めてネットワークに報告するステップを含む。
【００３１】
前記ネットワークが取得した状態情報に応じて無線リソース管理を行うステップは、取得した状態情報に応じて、モビリティ接続管理制御又はマルチキャリアリソース管理を行うことを含む。
【００３２】
前記ネットワークが取得した状態情報に応じてモビリティ接続管理制御を行う場合に、
前記受信した状態情報によって示された他のサブデバイスのオン／オフ情報に応じた動作を行い、
その動作は、前記端末装置がＢａｎｄ４０／Ｂａｎｄ７で動作しないときに、前記ネットワークがハンドオーバを判定した場合、前記ネットワークが当該端末装置をＢａｎｄ４０／Ｂａｎｄ７にハンドオーバしないことを含み
又は、干渉検出を早める測定構成を前記
端末装置に構成することを含む。
【００３３】
前記状態情報は、前記端末装置内のＬＴＥ技術を用いるサブデバイスを除く他のサブデバイスのオン／オフ情報、及び干渉するＬＴＥバンドの情報を含み、前記ネットワークが取得した状態情報に応じてモビリティ接続管理制御を行う場合に、
前記受信した他のサブデバイスのオン／オフ情報、及び干渉するＬＴＥバンドの情報に応じる行われる動作を行い、
その動作は、前記受信した干渉するＬＴＥバンドの情報がＢａｎｄ４０−ＵＰであって、前記端末装置がＢａｎｄ４０の低バンドで動作する場合、前記ネットワーク側が、現在の端末装置が装置内の共存干渉を受けないと判定して、動作を実行しないこと、又は、
前記端末装置がマルチキャリアで動作する状態において、且つ前記端末装置のプライマリサービングセルがＢａｎｄ４０の低バンドで動作し、一つ以上のセカンダリサービングセルがＢａｎｄ４０の高バンドで動作する場合、前記ネットワークが前記一つ以上のセカンダリサービングセルを非アクティブにし、又は削除すること、又は、
前記端末装置がシングルキャリアで動作する状態において、且つ前記端末装置がＢａｎｄ４０の高バンドで動作する場合に、前記ネットワークが端末装置をＢａｎｄ４０の低８０Ｍバンドにハンドオーバすること、及び、
前記受信した干渉するＬＴＥバンドの情報がＢａｎｄ４０−ａｌｌである場合、Ｂａｎｄ４０の全体のバンドが干渉することを示し、前記受信した状態情報によって示された他のサブデバイスのオン／オフ情報に応じた動作を行い、
その動作は、前記端末装置がＢａｎｄ４０／Ｂａｎｄ７で動作しないときに、前記ネットワークがハンドオーバを判定した場合、前記ネットワークが当該端末装置をＢａｎｄ４０／Ｂａｎｄ７にハンドオーバしないこと、及び干渉検出を早める測定構成を前記端末装置に構成することを含む。
【００３４】
前記受信した状態情報には、前記端末装置におけるＬＴＥ技術を用いるサブデバイスを除く他のサブデバイスのオン／オフ情報、及び追加的測定結果情報が含まれ、前記ネットワークが取得した状態情報に応じてモビリティ接続管理制御を行う場合に、
前記端末装置がＢａｎｄ４０／Ｂａｎｄ７で動作すると、前記ネットワークが前記端末装置によって報告された追加的測定結果情報に応じてハンドオーバ判定を行い、前記端末装置を前記追加的測定結果情報に示された隣接セルにハンドオーバすることを含む。
【００３５】
前記ネットワークが受信した状態情報が干渉するＬＴＥバンドの情報を含み、且つ干渉するＬＴＥバンドの情報がＢａｎｄ４０−ＵＰであり、前記ネットワークが取得した状態情報に応じてマルチキャリアリソース管理を行う場合に、
前記端末装置がマルチキャリアで動作する状態において、且つ前記端末装置のプライマリサービングセルがＢａｎｄ４０の低バンドで動作し、一つ以上のセカンダリサービングセルがＢａｎｄ４０の高バンドで動作する場合、前記ネットワークが前記ひとつ以上のセカンダリサービングセルを非アクティブにし、又は削除することを含む。
【００３６】
端末装置のハンドオーバを実現する方法は、
前記端末装置のハンドオーバ前のソースネットワークが、前記端末装置のハンドオーバ後のターゲットネットワークにハンドオーバ要求メッセージを送信し、前記ハンドオーバ要求メッセージのＲＲＣコンテキストには、前記ソースネットワークが端末装置にＬＴＥ技術を用いるサブデバイスを除く他のサブデバイスの状態情報を報告させることを有効にするイネーブル情報が含まれ、
前記ターゲットネットワークが、ハンドオーバ要求確認メッセージをソースネットワークにフィードバックし、
前記端末装置とターゲットネットワークとの間の通信は、端末装置がＬＴＥ技術を用いるサブデバイスを除く他のサブデバイスの状態情報をネットワークに報告することを含み、
前記ネットワークが、取得した状態情報に応じて、無線リソース管理を行う。
【００３７】
前記ハンドオーバ要求メッセージには、更に、前記端末装置におけるＬＴＥ技術を用いるサブデバイスを除く他のサブデバイスのオン／オフ情報が含まれる。
【００３８】
前記ハンドオーバ要求メッセージには、更に、干渉するＬＴＥバンドの情報が含まれる。
【００３９】
端末装置の通信を実現するシステムは、端末装置とネットワークを含み、且つ、前記端末装置には、ＬＴＥ技術を用いるサブデバイス、及びＬＴＥ技術を除く他の技術を用いる他のサブデバイスが搭載され、
端末装置がＬＴＥ技術を用いるサブデバイスを除く他のサブデバイスの状態情報を取得し、取得した状態情報をネットワークに報告し、
ネットワークは、取得した状態情報に応じて、無線リソース管理を行い、ネットワークは、基地局である。
【００４０】
前記ネットワークは、端末装置がＬＴＥ技術を用いるサブデバイスを除く他のサブデバイスの状態情報を報告することを有効にする。
【００４１】
前記端末装置がハンドオーバを行う場合に、前記ネットワークは、ソースネットワークであり、当該システムは、ターゲットネットワークを更に含み、
前記ネットワークは、前記端末装置のハンドオーバ後のターゲットネットワークにハンドオーバ要求メッセージを送信し、前記ハンドオーバ要求メッセージのＲＲＣコンテキストには、前記ソースネットワークが端末装置にＬＴＥ技術を用いるサブデバイスを除く他のサブデバイスの状態情報を報告させることを有効にするイネーブル情報が含まれ、
ターゲットネットワークは、ハンドオーバ要求確認メッセージをソースネットワークにフィードバックする。
【００４２】
前記ソースネットワークは、前記ハンドオーバ要求メッセージに、前記端末装置におけるＬＴＥ技術を用いるサブデバイスを除く他のサブデバイスのオン／オフ情報を含める。
【００４３】
前記ソースネットワークは、干渉するＬＴＥバンドの情報を前記ハンドオーバ要求メッセージに含める。
【００４４】
上記の本発明において提供される技術案から分かるように、端末装置は、ＬＴＥ技術を用いるサブデバイスを除く他のサブデバイスの状態情報をネットワークに報告するステップと、ネットワークが、取得した状態情報に応じて、無線リソース管理を行うステップとを含む。
【００４５】
本発明の方法によれば、ネットワークは、端末装置の状態情報を取得した場合には、無線リソース管理を行い、端末装置にＬＴＥ技術を用いるサブデバイス及びＬＴＥ技術を除く他の技術例えばＷＬＡＮ技術、Ｂｌｕｅｔｏｏｈ技術などを用いる他のサブデバイスが搭載される場合、装置内共存干渉に対する効果的な抑制を実現し、それによって端末装置における各無線技術の通信品質を高め、ユーザの通信体験を向上させる。
【図面の簡単な説明】
【００４６】
【図１】２種類以上の無線技術を同時に用いる端末装置を示す図である。
【図２】ＬＴＥ周波数バンドとＩＳＭ周波数バンドとの位置関係を示す図である。
【図３】本発明に係る端末装置の通信を実現する方法のフローチャートである。
【図４】本発明に係る端末装置の通信を実現する第１の実施形態のフローチャートである。
【図５】本発明に係る端末装置の通信を実現する第２の実施形態のフローチャートである。
【図６】本発明に係る端末装置のハンドオーバを実現する実施形態のフローチャートである。
【発明を実施するための形態】
【００４７】
図３は、本発明に係る端末装置の通信を実現する方法のフローチャートであり、図３に示すように、この方法は以下のステップを含む。
ステップ３００：端末装置は、ＬＴＥ技術を用いるサブデバイスを除く他のサブデバイスの状態情報をネットワークに報告する。ネットワークは、基地局であってもよい。
【００４８】
本ステップ前に、端末装置がＬＴＥ技術を用いるサブデバイスを除く他のサブデバイスの状態情報を取得するステップを更に含む。図１に示すように、異なる無線技術を用いる各サブデバイスは、無線技術間のインターフェイスを介して接続することができる。又は異なる無線技術を用いる各サブデバイスは、同時に１つの共通の制御装置によって制御される。そのため、ＵＥにおけるＬＴＥサブデバイスは、上記の２種類のモードのいずれかにより、ＵＥにおける他のサブデバイス（表１に示すようなＩＳＭサブデバイス）のオン／オフ状態を知ることができる。そのサブデバイスがオンである場合、ＵＥにおけるＬＴＥサブデバイスは、さらに、上記の２種類のモードのいずれかにより、他のサブデバイスの動作周波数を知ることができる。
【００４９】
本ステップにおいて、ＵＥは、近接インディケーション（Ｐｒｏｘｉｍｉｔｙ  Ｉｎｄｉｃａｔｉｏｎ）メッセージで他のサブデバイスの状態情報をネットワークに報告し、即ち拡張された近接インディケーションメッセージに取得した他のサブデバイスの状態情報を含めることができる。
【００５０】
又は、他のサブデバイスが無線リソース制御（ＲＲＣ：Ｒａｄｉｏ  Ｒｅｓｏｕｒｃｅ  Ｃｏｎｔｒｏｌ）接続確立の最初に又はその前にオンになる可能性があるため、ＵＥは、拡張されたＲＲＣ接続確立完了（ＲＣＣ  Ｃｏｎｎｅｃｔｉｏｎ  Ｓｅｔｕｐ  Ｃｏｍｐｌｅｔｅ）メッセージ又はＲＲＣ接続再確立完了（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージに取得したた他のサブデバイスの状態情報を含めることができる。
【００５１】
ＵＥがＲＣＣ接続完了メッセージで前記状態情報をネットワークに報告する場合、前記状態情報に追加的測定結果情報は含まれないことにと留意すべきである。
【００５２】
又は、ＵＥは、新規のＲＲＣメッセージ、例えば新規のサブデバイス状態インディケーション情報に、取得した他のサブデバイスの状態情報を含める。
【００５３】
本ステップにおいて、ネットワークへＵＥによって報告される他のサブデバイスの状態情報は、他のサブデバイスのオン（使用とも称する）又はオフ（未使用とも称する）情報を少なくとも含む。
【００５４】
更に、前記状態情報は、干渉するＬＴＥバンドの情報、例えばＢａｎｄ４０−ａｌｌ（Ｂａｎｄ４０の全てのバンド）、Ｂａｎｄ４０−ＵＰ（Ｂａｎｄ４０の高バンド、例えば高２０ＭＨｚバンド）を更に含む。ここで、Ｂａｎｄ４０−ａｌｌはＬＴＥ全体のＢａｎｄ４０が干渉するることを示す。
【００５５】
表１に示したものを例にすると、基地局は、当該情報フィールドを受信した後、ＩＳＭサブデバイスが低バンド（例えば低２０ＭＨｚバンド）で動作していることを判定できる。Ｂａｎｄ４０−ＵＰは干渉するＬＴＥ  Ｂａｎｄ４０の高バンド（例えば高２０ＭＨｚバンド）を示す。
【００５６】
表１に示したものを例にすると、基地局は、当該情報フィールドを受信した後、ＩＳＭサブデバイスが高バンド、例えば低２０ＭＨｚバンド以外のバンドで動作していることを判定できる。
【００５７】
更に、前記状態情報は、追加的測定結果情報を更に含む。追加的測定結果情報は、例えば、設定された各測定タスクにおいて、各測定タスク報告条件を満たし、各測定タスクに対応するセルトリガーリスト（ｃｅｌｌ  ｔｒｉｇｇｅｒ  ｌｉｓｔ）に記憶されている各隣接セルの測定結果である。又は、追加的測定結果情報は、設定された各測定タスクにおいて、各測定タスク報告条件を満たし、各測定タスクに対応するセルトリガーリストに記憶されている最も強度が高いのＮ個の隣接セルの測定結果である。ＮはネットワークとＵＥによって予め設定された値である。
【００５８】
特に、図５に示すように、ネットワークをｅＮＢとし、他のサブデバイスをＩＳＭ装置とし、ＵＥにおけるＩＳＭ装置がオフになる場合、ＵＥにおける装置内共存干渉はなく（ステップ５００）、ＵＥとｅＮＢは、いずれも再び装置内共存干渉を特に処理する必要がない。この時、ＵＥにより報告された状態情報は、ＩＳＭ装置がオフになることを示す（未使用とも称する）（ステップ５０１）。ｅＮＢは、ＩＳＭ装置がオフになることを示す状態情報を受信した後、全ての操作について、装置内共存干渉を考慮する必要がなく（ステップ５０２）、例えばｅＮＢは、干渉検出を早める測定構成などを削除できる。
【００５９】
ステップ３０１：ネットワークは、取得した状態情報に応じて、無線リソース管理を行う。取得した状態情報に応じるネットワークの操作は、ネットワークのポリシーに依存する。本ステップにおいて、無線リソース管理は、モビリティ接続管理制御（Ｃｏｎｎｅｃｔｉｏｎ  ｍｏｂｉｌｉｔｙ  ｃｏｎｔｒｏｌ）を含み、実行可能な動的接続管理制御は以下の複数の種類を含むがこれらに限られない。
【００６０】
第１の種類については、受信した状態情報によって示された他のサブデバイスのオン（使用）又はオフ（未使用）情報に応じる操作は、以下の通りである。
【００６１】
操作１、ＵＥがＢａｎｄ４０／Ｂａｎｄ７で動作しない場合、ネットワークはハンドオーバを判定したときに、当該ＵＥをＢａｎｄ４０／Ｂａｎｄ７にハンドオーバしない。
【００６２】
操作２、ＵＥに干渉検出を早める測定構成を構成する。例えば測定構成において測定報告トリガー時間（ＴＴＴ：Ｔｉｍｅ  Ｔｏ  Ｔｒｉｇｇｅｒ）の構成を減少させ、測定構成においてイベントトリガー閾値を変更し、例えば現在のＡ３イベント（隣接セルの信号強度がサービングセルの信号強度より１個のオフセット高い）においてオフセットの構成を低下させる。
【００６３】
ＩＳＭ装置がオンになってからＩＳＭ装置が密集データ伝送の状態に入るまでの期間に、バッファ時間が存在する可能性がある。干渉検出を早める測定構成の動作により、ＵＥとネットワークは、このバッファ時間を用いて、従来の技術により装置内共存干渉を検出して避けることができる。
【００６４】
つまり、ＵＥは、干渉検出を早める測定構成の操作により、サービングセルの干渉状況と隣接セルの信号強度を測定し、測定結果をネットワークに報告する。ネットワークは、ＵＥにより報告された測定結果によって、ＵＥを適当な隣接セルにハンドオーバするなどのような干渉回避を行う。
【００６５】
第２の種類については、ネットワークにより受信された状態情報に干渉するＬＴＥバンドの情報が含まれ、その他のサブデバイスのオン（使用）又はオフ（未使用）情報、及び干渉するＬＴＥバンドの情報に応じる操作動作は、以下の通りであってもよい。
【００６６】
操作３、干渉するＬＴＥバンドの情報がＢａｎｄ４０−ＵＰである場合、Ｂａｎｄ４０の低バンド（例えば低８０ＭＨｚ）がＩＳＭ装置に干渉されないことを示す。ネットワークは、ＵＥが動作するＬＴＥ  Ｂａｎｄ４０のバンドによって以下の決定を行う。
【００６７】
ＵＥがＢａｎｄ４０の低バンドで動作する場合、ネットワークは、ＵＥが装置内の共存干渉を受けないと判定して、動作を行わない。、ＵＥがシングルキャリア状態で動作し、且つＵＥがＢａｎｄ４０の高バンド（例えば高２０ＭＨｚ）で動作する場合、ネットワークは、ＵＥをＢａｎｄ４０の低８０Ｍバンドにハンドオーバすることができる。
【００６８】
干渉するＬＴＥバンドの情報がＢａｎｄ４０−ａｌｌである場合、Ｂａｎｄ４０の全体のバンドが干渉することを示し、基地局の動作は、操作１と操作２の両方を含む。
【００６９】
第３の種類については、ネットワークにより受信された状態情報に追加的測定結果情報が含まれると、その他のサブデバイスのオン（使用）又はオフ（未使用）情報及び追加的測定結果情報に応じる操作は、以下の通りであってもよい。
【００７０】
操作４、ＵＥがＢａｎｄ４０／Ｂａｎｄ７で動作する場合、ネットワークは、ＵＥにより報告された追加的測定結果情報に応じて、ハンドオーバ判定を行い、ＵＥを前記追加的測定結果情報に示された適当な隣接セルにハンドオーバする。具体的には、ネットワークは、ＵＥにより報告された追加的測定結果、各隣接セルの負荷情報、ネットワークの他の無線リソース管理ポリシーに応じて、適当な隣接セルを選択する。
【００７１】
本ステップにおいて、ネットワークが受信した状態情報によって行う無線リソース管理は、マルチキャリアリソース管理を含んでもよい。具体的には、ネットワークが受信した状態情報に干渉するＬＴＥバンドの情報が含まれ、且つ干渉するＬＴＥバンドの情報がＢａｎｄ４０−ＵＰである場合、Ｂａｎｄ４０の低バンド（例えば低８０ＭＨｚ）がＩＳＭ装置に干渉されないことを示す。
【００７２】
ＵＥがマルチキャリア状態で動作し、即ちＵＥがキャリアアグリゲーション（ＣＡ：Ｃａｒｒｉｅｒ  Ａｇｇｒｅｇａｔｉｏｎ）技術を用い、且つＵＥのプライマリサービングセル（ＰＣｅｌｌ：ｐｒｉｍａｒｙ  ｃｅｌｌ）がＢａｎｄ４０の低バンドで動作し、その中の一つ以上のセカンダリサービングセル（ＳＣｅｌｌｓ：Ｓｅｃｏｎｄａｒｙ  Ｃｅｌｌｓ）がＢａｎｄ４０の高バンド（例えば高２０ＭＨｚ）で動作する場合、ネットワークは、上記のＳｃｅｌｌｓを非アクティブし、又は削除することができる。
【００７３】
本発明の方法により分かるように、ネットワークは、端末装置の状態情報を取得した場合に無線リソース管理を行う。端末装置にＬＴＥ技術を用いるサブデバイス及びＬＴＥを除く他の技術、例えばＷＬＡＮ技術、Ｂｌｕｅｔｏｏｔｈ技術などを用いる他のサブデバイスが搭載される場合、装置内共存干渉に対する効果的な抑制を実現し、それによって端末装置における各無線技術の通信品質を高め、ユーザの通信体験を向上させる。
【００７４】
当該方法の前に、本発明の方法は、ネットワークが、端末装置が装置内共存干渉状態報告を行うことを有効にし、即ち、ＬＴＥ技術を用いるサブデバイスを除く他のサブデバイスの状態情報を報告する機能を起動するように端末装置に通知し、即ちネットワークが、端末装置にＬＴＥ技術を用いるサブデバイスを除く他のサブデバイスの状態情報を報告させることを有効にするステップを更に含む。
【００７５】
具体的には、ネットワークは端末装置に、ＲＲＣ接続再構成（ＲＲＣ  Ｃｏｎｎｅｃｔｉｏｎ  Ｒｅｃｏｎｆｉｇｕｒａｔｉｏｎ）メッセージにおいて、その内部のＬＴＥ技術を用いるサブデバイスを除く他のサブデバイスの状態情報を報告するように指示するイネーブル情報を送信することができる。
【００７６】
他のサブデバイスがＲＲＣ接続確立の時にオンになる可能性があるため、ＲＲＣ接続確立（ＲＲＣ  Ｃｏｎｎｅｃｔｉｏｎ  Ｓｅｔｕｐ）メッセージにおいてイネーブル情報を送信することもできる。もちろん、新規のＲＲＣメッセージでイネーブル情報を送信することもできる。
【００７７】
ＵＥ及び／又はネットワークが、Ｂａｎｄ４０／Ｂａｎｄ７をサポートしない場合、例えばＵＥの機能がＢａｎｄ４０／Ｂａｎｄ７で動作することをサポートせず、オペレータがＢａｎｄ４０／Ｂａｎｄ７の周波数リソースを持たない場合、端末装置におけるＬＴＥ技術を用いるサブデバイスを除く他のサブデバイスのオンにより装置内共存干渉が発生しない。
【００７８】
そのため、ネットワークは、ＵＥが装置内共存干渉状態レポートを報告することを無効にし（ｄｉｓａｂｌｅ）、即ちイネーブル情報をＵＥに送信しないことができる。
【００７９】
ネットワークは、装置内共存干渉状態レポートが基地局によって提示され、ＵＥに通知されなくてもよいことを有効にするが、ＵＥが装置内共存干渉状態レポートを報告することをデフォルトで許可する。
【００８０】
図４に示すように、ネットワークをｅＮＢとし、他のサブデバイスをＩＳＭ装置とし、ｅＮＢが装置内共存干渉状態レポートを有効にし（ステップ４００）、ＵＥにおけるＩＳＭ装置がオンになる場合（ステップ４０１）、ＵＥにより報告された状態情報は、ＩＳＭ装置がオンになる（使用とも称する）（ステップ４０２）ことを示す。ｅＮＢは、ＩＳＭがオンになることを示す状態情報を受信した後、受信した状態情報によって装置内共存干渉に関する操作を行い（ステップ４０３、具体的にステップ３０１に示すように実現される）、例えばｅＮＢは、干渉検出を早める測定構成などを構成することができる。
【００８１】
図６は、本発明に係る端末装置のハンドオーバを実現する実施形態のフローチャートである。図６に示すように、ソース基地局（Ｓ−ｅＮＢ）がＵＥにより報告された測定レポート、又はＵＥにより報告された他のサブデバイスの状態情報、又はＲＲＭアルゴリズムに応じて、ＵＥをソースセルからターゲットセルにハンドオーバする場合、ソース基地局とターゲット基地局（Ｔ−ｅＮＢ）とのハンドオーバ準備インタラクティブ過程で、ＵＥはターゲットセルにハンドオーバされた後、ＵＥにおける様々な無線技術の装置が共存する場合の正常通信を保証し、その他のサブデバイスがオンになる状態で、本発明は、更に以下のステップを含む。
【００８２】
ステップ６００：ソース基地局は、ハンドオーバ要求（Ｈａｎｄｏｖｅｒ  Ｒｅｑｕｅｓｔ）をターゲット基地局に送信する。ソース基地局が既にソースセルにおいて、基地局が装置内共存干渉状態レポートを有効にするインディケーションをＵＥに送信した場合、ソース基地局は、ハンドオーバ要求メッセージのＲＲＣコンテキスト（ＲＲＣ  ｃｏｎｔｅｘｔ）に、当該基地局が装置内共存干渉状態レポートを有効にするイネーブル情報を含めて、ソース基地局が既に当該ＵＥにより装置内共存干渉状態レポートを報告する機能を起動するようにターゲット基地局に通知する。
【００８３】
ターゲット基地局は自身のポリシーに応じて、次にＵＥに送信されるＲＲＣ接続再構成メッセージに装置内共存干渉状態レポートを有効にするイネーブル情報を構成するかどうかを決定する。具体的なポリシーはここで繰り返して述べない。
【００８４】
ターゲット基地局は、ターゲットセルにＵＥから装置内共存干渉状態レポートを報告する機能を起動した後、ソース基地局がハンドオーバ要求メッセージで伝達してきたソース基地局が装置内共存干渉状態レポートを有効にするインディケーションによって、増分シグナル構成を行う。
【００８５】
例えば、ターゲット基地局が、ターゲットセルにおいて、ＵＥにより装置内共存干渉状態レポートを報告する機能を引き続け起動することを決定すると、ターゲット基地局は次のＲＲＣ接続再構成メッセージに再び装置内共存干渉状態レポートを有効にするインディケーションを構成しなくてもよく、ＵＥは当該インディケーションを受信しないと、当該機能を継続して起動する。
【００８６】
更に、ソース基地局が既にソースセルに、ＵＥから報告された他のサブデバイスの状態情報を受信していた場合、ソース基地局は、前記ハンドオーバ要求メッセージのＲＲＣコンテキストに取得した他のサブデバイスの状態情報を含める。具体的に、これらの状態情報は、他のサブデバイスのオン（使用）又はオフ（未使用）情報を含むことができ、干渉するＬＴＥバンドの情報を更に含んでもよい。
【００８７】
ＵＥが装置内共存干渉状態レポートを報告することを、デフォルトで許可され、且つソース基地局が既にソースセルにＵＥから報告された他のサブデバイスの状態情報を受信していた場合、本ステップにおいてソース基地局は、前記ハンドオーバ要求メッセージのＲＲＣ  ｃｏｎｔｅｘｔに取得した他のサブデバイスの状態情報を含める。具体的には、これらの情報は、他のサブデバイスのオン（使用）又はオフ（未使用）情報を含むことができ、干渉するＬＴＥバンドの情報を更に含んでもよい。
【００８８】
ステップ６０１：ターゲット基地局は、ハンドオーバ要求確認メッセージをソース基地局にフィードバックする。ソース基地局は、ターゲット基地局のハンドオーバ要求確認情報を受信した後、ハンドオーバを開始するようにＵＥに通知し、ＵＥがターゲット基地局でのターゲットセルにハンドオーバされた後、ＵＥにおける様々な無線技術の正常通信を保証するために、ＵＥとターゲット基地局の通信過程について図３に示す方法を用いる。
【００８９】
本発明では、ハンドオーバ準備過程でソースセルの、装置内共存干渉状態レポートを有効にするインディケーションが伝達され、更にＵＥがソースセルに報告した他のサブデバイスの状態情報が伝達されることにより、ターゲット基地局が直接他のサブデバイスの状態情報を用いて、ハンドオーバ後の様々な無線技術の装置内で共存する場合の正常通信を保証する。
【００９０】
上記のソース基地局とターゲット基地局との間に直接的なインターフェースがない場合、上記のハンドオーバ準備過程がモビリティ管理エンティティ（ＭＭＥ：Ｍｏｂｉｌｉｔｙ  Ｍａｎａｇｅｍｅｎｔ  Ｅｎｔｉｔｙ）により完了される必要がある。この場合、ＵＥがソース基地局からＭＭＥに送信されたハンドオーバ要求（ＨＡＮＤＯＶＥＲ  ＲＥＱＵＩＲＥＤ）メッセージ、及びＭＭＥからターゲット基地局に送信されたハンドオーバコマンド（Ｈａｎｄｏｖｅｒ  Ｃｏｍｍａｎｄ）に含まれたＲＲＣ  ｃｏｎｔｅｘｔに、前記ソース基地局の装置内共存干渉状態レポートを有効にするインディケーション及びＵＥがソース基地局に報告した他のサブデバイスの状態情報が含まれる。
【００９１】
本発明の方法について、端末装置の通信を実現するシステムを更に提供することができる。当該システムは、端末装置とネットワークを含み、且つ、端末装置には、ＬＴＥ技術を用いるサブデバイス、ＬＴＥ技術を除く他の技術、例えばＷＬＡＮ技術、Ｂｌｕｅｔｏｏｔｈ技術などの他のサブデバイスが搭載されている。
【００９２】
ここで、端末装置は、ＬＴＥ技術を用いるサブデバイスを除く他のサブデバイスの状態情報を取得し、取得した状態情報をネットワーク側に報告する。ネットワークは、取得した状態情報に応じて、無線リソース管理を行う。ネットワークは、基地局であってよい。
【００９３】
前記ネットワークは、更に端末装置が装置内共存干渉状態報告を行うことを有効にする。前記端末装置がハンドオーバを行う場合に、前記ネットワークは、ソースネットワークであり、当該システムは、更にターゲットネットワークを含む。
【００９４】
前記ソースネットワークは、前記端末装置のハンドオーバ後のターゲットネットワークにハンドオーバ要求メッセージを送信する。前記ハンドオーバ要求メッセージのＲＲＣコンテキストには、前記ソースネットワークが端末装置にＬＴＥ技術を用いるサブデバイスを除く他のサブデバイスの状態情報を報告させることを有効にするイネーブル情報が含まれる。
【００９５】
ターゲットネットワークは、ハンドオーバ要求確認メッセージをソースネットワークにフィードバックする。前記ソースネットワークは、前記ハンドオーバ要求メッセージに、前記端末装置におけるロング・ターム・エボリューション技術を用いるサブデバイスを除く他のサブデバイスのオン情報又はオフ情報を含める。
【００９６】
前記ソースネットワークは、干渉するＬＴＥバンドの情報を前記ハンドオーバ要求メッセージに含める。
【００９７】
以上は、本発明の好ましい実施形態に過ぎず、本発明の保護範囲を限定しない。本発明の主旨に従う変更、置換、改善は、本発明の保護範囲以内に含まれるべきである。
【図１】
2013536634.tif 000004
【図２】
2013536634.tif 000005
【図３】
2013536634.tif 000006
【図４】
2013536634.tif 000007
【図５】
2013536634.tif 000008
【図６】
2013536634.tif 000009
【国際調査報告】
2013536634.tif 000010
2013536634.tif 000011
2013536634.tif 000012
2013536634.tif 000013
2013536634.tif 000014
2013536634.tif 000015